(57)【要約】【課題】建物の平面計画が決まらなくてもプレキャストコンクリート板を予め製造することにより、効率的な構築ができるスラブおよびその構築方法を提供することである。【解決手段】スラブ１は、梁１２、１３で囲まれた空間の所定箇所に敷設された、トラス筋２が配筋された所定の大きさのプレキャストコンクリート板を標準板とするプレキャストコンクリート板３と、前記空間の残りの箇所に敷設された、トラス筋２が配筋された他の大きさのプレキャストコンクリート板４、５とにより形成された下床６上にコンクリート７が打設され、前記下床６上のトラス筋２に沿って引張材８が配設され、該引張材８が緊張定着された構成である。【選択図】    図１
2004346647.tif 000002
【特許請求の範囲】
【請求項１】
梁で囲まれた空間の所定箇所に敷設された、トラス筋が配筋された所定の大きさのプレキャストコンクリート板を標準板とするプレキャストコンクリート板と、前記空間の残りの箇所に敷設された、トラス筋が配筋された他の大きさのプレキャストコンクリート板とにより形成された下床上にコンクリートが打設され、前記下床上のトラス筋に沿って引張材が配設され、該引張材が緊張定着されたことを特徴とするスラブ。
【請求項２】
他の大きさのプレキャストコンクリート板の厚さが標準板とするプレキャストコンクリート板よりも薄いことを特徴とする請求項１に記載のスラブ。
【請求項３】
トラス筋が配筋された所定の大きさのプレキャストコンクリート板を標準板とするプレキャストコンクリート板と、トラス筋が配筋された他の大きさのプレキャストコンクリート板とを梁間に敷き並べて下床を形成し、該下床のトラス筋に沿って引張材を配設し、該引張材が配設された下床上にコンクリートを打設し、該コンクリートが硬化した後に前記引張材を所定の力で緊張して定着することを特徴とするスラブの構築方法。
【発明の詳細な説明】
【０００１】
【発明の属する技術分野】
本発明はスラブおよびその構築方法に関するものである。
【０００２】
【従来の技術】
従来のスラブとしては、例えば特開２０００−３５６００１号公報の発明がある。このスラブはトラス筋が配筋された一枚のプレキャストコンクリート板が梁間にわたって隣接状に敷設されて下床が形成され、該下床上にコンクリートが打設されて形成されていた。
【０００３】
【特許文献１】
特開２０００−３５６００１号公報（図１６）
【０００４】
【発明が解決しようとする課題】
しかし、上記のスラブは梁間に一枚のプレキャストコンクリート板を設置して構築していたため、建物の平面計画が決まらなければプレキャストコンクリート板の製造ができなかった。これは平面計画が決まらなければプレキャストコンクリート板の鉄筋が算定できないため、プレキャストコンクリート板の製造が受注生産となってスラブの効率的な構築ができないという問題になっていた。
【０００５】
本発明はこれらの問題に鑑みてなされたものであり、その目的は、建物の平面計画が決まらなくてもプレキャストコンクリート板を予め製造することにより、効率的な構築ができるスラブおよびその構築方法を提供することである。
【０００６】
【課題を解決するための手段】
以上の課題を解決するためのスラブは、梁で囲まれた空間の所定箇所に敷設された、トラス筋が配筋された所定の大きさのプレキャストコンクリート板を標準板とするプレキャストコンクリート板と、前記空間の残りの箇所に敷設された、トラス筋が配筋された他の大きさのプレキャストコンクリート板とにより形成された下床上にコンクリートが打設され、前記下床上のトラス筋に沿って引張材が配設され、該引張材が緊張定着されたことを特徴とする。また他の大きさのプレキャストコンクリート板の厚さが標準板とするプレキャストコンクリート板よりも薄いことを含むものである。
【０００７】
またスラブの構築方法は、トラス筋が配筋された所定の大きさのプレキャストコンクリート板を標準板とするプレキャストコンクリート板と、トラス筋が配筋された他の大きさのプレキャストコンクリート板とを梁間に敷き並べて下床を形成し、該下床のトラス筋に沿って引張材を配設し、該引張材が配設された下床上にコンクリートを打設し、該コンクリートが硬化した後に前記引張材を所定の力で緊張して定着することを特徴とする。
【０００８】
平面計画が決まらなくても標準板であるプレキャストコンクリート板が予め製造できるので、スラブの所定箇所をこのプレキャストコンクリート板で構築し、残りの箇所を他のプレキャストコンクリート板、すなわち受注生産されたプレキャストコンクリート板で構築できる。また引張材を標準ＰＣ板よりも下側に配設することができるので、大スパンのスラブを構築することができる。
またプレキャストコンクリート板に配筋する鉄筋は、現場で配置する引張材で応力を負担することにより、平面計画によらずに決定することができる。
また所定の大きさのプレキャストコンクリート板、すなわち標準板の製造を予めすることができる。
【０００９】
【発明の実施の形態】
以下、本発明のスラブおよびその構築方法の実施の形態について説明する。はじめにスラブについて説明し、その後にその構築方法について説明する。また各実施の形態において同じ構成は同じ符号を付して説明し、異なった構成にのみ異なった符号を付して説明する。
【００１０】
図１および図２は第１の実施の形態のスラブ１である。このスラブ１は、トラス筋２が配筋された所定の大きさのプレキャストコンクリート板（以下、ＰＣ板という）を標準板とするプレキャストコンクリート板（以下、標準ＰＣ板という）３と、トラス筋２が配筋された他の大きさのＰＣ板（以下、他のＰＣ板という）４、５とにより形成された下床６と、該下床６上に打設されたコンクリート７と、下床５上のトラス筋２に沿って配設された引張材８とから構成されている。すなわち長さ方向に並べられた複数のＰＣ板３、４、５が引張材８で接続されて構築されたものである。
【００１１】
トラス筋２は三角形状に配置された１本の上端筋９と、２本の下端筋１０とが波形のラチス筋１１で接続されたものであるが、このほかにも１本の上端筋と、１本の下端筋とが波形のラチス筋で接続された、いわゆるシングルトラス（図示せず）であってもよい。
【００１２】
また、ここに標準ＰＣ板３とは、図３に示すように、所定の大きさのＰＣ板、すなわち梁間に設置する一枚板のＰＣ板の２分の１、または３分の１の大きさのものをいう。この大きさは任意であり、例えば２ｍ×４ｍや２．５ｍ×５ｍなどのものである。
【００１３】
一方、他のＰＣ板４とは、前記の標準ＰＣ板３が設置できない箇所に設置するために受注生産されるものであり、標準ＰＣ板３と同じ長さか、またはそれより短いものをいう。
【００１４】
このように梁１２、１３で囲まれた空間の所定箇所には標準ＰＣ板３が敷設され、残りの空間には他のＰＣ板４、５が敷設されて下床６を形成している。すなわち短辺側の梁１２間には二枚の標準ＰＣ板３と、他のＰＣ板４とがアンボンドケーブルなどの引張材８で接続されて一枚板となったＰＣ板１４が、３枚隣接して設置されている。
【００１５】
また、これらのＰＣ板１４の隣には、標準ＰＣ板３と同じ長さで、かつ幅狭な他のＰＣ板４と、標準ＰＣ板３よりも短く、かつ幅狭な他のＰＣ板５とが接続されて一枚板となったＰＣ板１５が設置されている。
【００１６】
したがって、図１において斜線の部分１６は、予め製造された標準ＰＣ板３で形成され、他の部分１７は他のＰＣ板４、５で形成されている。
【００１７】
このように梁１２、１３で囲まれた空間の所定箇所を標準ＰＣ板３で形成できるので、建物の平面計画が決まる前であっても、標準ＰＣ板３を製造することができる。また、標準ＰＣ板３に配筋された鉄筋も引張材８で応力を負担することにより、平面計画の決定前であっても決定することができる。
【００１８】
また図４は第２の実施の形態のスラブ１８である。このスラブ１８は、第１の実施のスラブ１よりも幅狭なものであり、ＰＣ板１５がない以外は第１の実施のスラブ１と同じ構成である。
【００１９】
また図５は第３の実施の形態のスラブ１９である。このスラブ１９は、第１の実施のスラブ１よりも短いものであり、標準ＰＣ板３が一枚になった以外は第１の実施のスラブ１と同じ構成である。
【００２０】
また図６および図７は第４の実施の形態のスラブ２０である。このスラブ２０は、標準ＰＣ板３の間に、標準ＰＣ板３よりも厚さの薄い他のＰＣ板４、５を設置したものであり、これ以外は第１の実施のスラブ１と同じ構成である。このように厚さの薄い他のＰＣ板４、５を設置すると、引張材８を標準ＰＣ板３よりも下側に配設することができるので、大スパンのスラブを構築することができる。
【００２１】
上記のように平面計画にとらわれない標準ＰＣ板３を予め製造しておくことにより、種々の平面計画に応じて標準ＰＣ板３と他のＰＣ板４、５とを任意に組み合わせてスラブ１、１８、１９、２０を構築することができる。
【００２２】
次に、スラブの構築方法を、第１の実施の形態のスラブ１を用いて説明する。
はじめに、建物の平面計画が決まる前に、図３に示すような標準ＰＣ板３を予め製造しておく。
【００２３】
そして、建物の平面計画が決まった後には、図１に示すように、梁１２、１３で囲まれた空間の所定箇所に標準ＰＣ板３を設置するとともに、残りの空間に見合う大きさの他のＰＣ板４、５を受注生産し、これを残りの空間に設置し、これらを支保工（図示せず）で支持して下床６を形成する。そして、この下床６上のトラス筋２に沿ってアンボンドケーブルなどの引張材８を配設する。この引張材８の緊張により応力を負担することができるので、ＰＣ板３、４、５同士の接合部に配筋された連結筋（添え筋）を省略することもできる。
【００２４】
次に、この引張材８が配設された下床６上にコンクリート７を打設し、このコンクリート７が所定の強度を発現した後に、引張材８を所定の力で緊張して定着することにより、所定のプレストレスが付与されたスラブ１が構築される。
【００２５】
なお、第１および第２の実施の形態のスラブ１８、１９、２０の場合も、上記と同じ方法で構築するものとする。
【００２６】
【発明の効果】
平面計画が決まらなくても標準ＰＣ板が予め製造できるので、スラブの所定箇所をこの標準ＰＣ板で構築し、残りの箇所を他のＰＣ板、すなわち受注生産されたＰＣ板で構築できる。
【００２７】
引張材を標準ＰＣ板よりも下側に配設することができるので、大スパンのスラブを構築することができる。
【００２８】
プレキャストコンクリート板に配筋する鉄筋は、現場で配置する引張材で応力を負担することにより、平面計画によらずに決定することができる。
【００２９】
所定の大きさのプレキャストコンクリート板、すなわち標準板の製造を予めすることができる。
【図面の簡単な説明】
【図１】第１の実施の形態のスラブの平面図である。
【図２】図１のＡ−Ａ線断面図である。
【図３】（１）は標準ＰＣ板の平面図、（２）は（１）のＢ−Ｂ線断面図である。
【図４】第２の実施の形態のスラブの平面図である。
【図５】第３の実施の形態のスラブの平面図である。
【図６】第４の実施の形態のスラブの平面図である。
【図７】図６のＣ−Ｃ線断面図である。
【符号の説明】
１、１８、１９、２０  スラブ
２  トラス筋
３  標準ＰＣ板
４、５  他のＰＣ板
６  下床
７  コンクリート
８  引張材
９  上端筋
１０  下端筋
１１  ラチス筋
１２  短辺側の梁
１３  長辺側の梁
１４、１５  ＰＣ板
１６  斜線の部分
１７  残りの部分
【図１】
2004346647.tif 000003
【図２】
2004346647.tif 000004
【図３】
2004346647.tif 000005
【図４】
2004346647.tif 000006
【図５】
2004346647.tif 000007
【図６】
2004346647.tif 000008
【図７】
2004346647.tif 000009